(57)【要約】【課題】本発明は、上側凸面（１２）により全体が形成されている上向きの凸状の形をしている背もたれデバイス（１０）を提供する。【解決手段】このデバイスは、デバイスを床に装着するための脚部（１４，１６）を備えるその下面の遠方端に設置されている。上部凸状面（１２）から上方に延びる係合構造（１８，２０）が設置され、特定の実施形態の場合には、各係合構造は、その骨の部分を、中央をデバイス（１０）の長手方向に延び、係合構造（１８，２０）の各列の間を延びる凹溝部（３０）内に容易に配置することができる、人間の背骨の周囲の筋肉を加熱および／または冷却するように、容易に制御することができる加熱／冷却素子の組合せを提供する。【選択図】図１
2010057915.tif 000002
【特許請求の範囲】
【請求項１】
背もたれデバイスであって、その上に横になっているユーザの背中と係合するように配置され、上向きの凸状の形をし、さらに、前記ユーザの背中を加熱／冷却するために、前記デバイスの少なくとも一部の温度を制御するための温度制御手段を含む背もたれデバイス。
【請求項２】
その下面から延びる弾性支持手段を含む、請求項１に記載の背もたれデバイス。
【請求項３】
その下面から延びるように配置され、前記デバイスの第２の端部に対して前記デバイスの第１の端部の高さを変えるように配置される、請求項１または２に記載の背もたれデバイス。
【請求項４】
前記デバイスの前記第１の端部が、前記第２の端部よりも大きな凸状の湾曲を有する上向きの凸状の形をしている、請求項３に記載の背もたれデバイス。
【請求項５】
前記支持部材が、伸縮脚部材を備える、請求項３または４に記載の背もたれデバイス。
【請求項６】
前記支持部材が、弾性支持手段を備える、請求項３乃至５の何れかの項に記載の背もたれデバイス。
【請求項７】
前記温度制御手段が、前記デバイスと一体になっている、請求項１乃至６の何れかの項に記載の背もたれデバイス。
【請求項８】
前記温度制御手段の少なくとも一部が、独立要素を備える、請求項１乃至６の何れかの項に記載の背もたれデバイス。
【請求項９】
前記独立要素が、交換可能な要素を備える、請求項８に記載の背もたれデバイス。
【請求項１０】
前記独立要素が、冷却を行うための手段を備える、請求項８または９に記載の背もたれデバイス。
【請求項１１】
前記冷却を行う手段が、少なくとも１つの冷却マット部材を備える、請求項１乃至１０の何れかの項に記載の背もたれデバイス。
【請求項１２】
前記冷却マット部材が、前記加熱を行う手段に隣接して延びるように構成される、請求項１１に記載の背もたれデバイス。
【請求項１３】
前記冷却マットが、アイス・パックを備える、請求項１１または１２に記載の背もたれデバイス。
【請求項１４】
前記冷却マット部材が、吸熱手段を備える、請求項１１乃至１３の何れかの項に記載の背もたれデバイス。
【請求項１５】
少なくとも１つの電気的に駆動される冷却素子を含む、請求項１乃至１３の何れかの項に記載の背もたれデバイス。
【請求項１６】
少なくとも１つの電気的に駆動される加熱素子を含む、請求項１乃至１５の何れかの項に記載の背もたれデバイス。
【請求項１７】
前記制御手段が、温度変化パターンの所定の制御を行うように配置され、動作の時間の長さまたは最高温度の少なくとも一方を容易に制御することができる、請求項１乃至１６の何れかの項に記載の背もたれデバイス。
【請求項１８】
前記制御が、周期的加熱／冷却パターンを行うように配置される、請求項１７に記載の背もたれデバイス。
【請求項１９】
実質的にその全長に沿って直立係合構造を含み、背骨の両側でユーザの背中と係合するように配置される、請求項１乃至１８の何れかの項に記載の背もたれデバイス。
【請求項２０】
前記直立係合構造のうちの少なくとも１つが、その温度が前記制御手段により制御されるように配置されている加熱素子を備える、請求項１９に記載の背もたれデバイス。
【請求項２１】
前記直立係合構造のうちの少なくとも１つが、その温度が前記制御手段により制御されるように配置されている冷却素子を含む、請求項１９または２０に記載の背もたれデバイス。
【請求項２２】
前記係合構造のうちの少なくとも１つが、加熱／冷却素子の組合せを備える、請求項１９に記載の背もたれデバイス。
【請求項２３】
各直立係合構造が、ドーム状の構成を有する、請求項１乃至２２の何れかの項に記載の背もたれデバイス。
【請求項２４】
加熱または冷却のうちの一方を行うように配置されている中央部分と、加熱または冷却のうちの他方を行うように配置されている外側部分とを有する、請求項１乃至２３の何れかの項に記載の背もたれデバイス。
【請求項２５】
少なくとも１つの係合構造の表面が、複数の二次係合構造を備える、請求項１乃至２４の何れかの項に記載の背もたれデバイス。
【請求項２６】
前記１つの係合構造が、ディンプル面を有することができる、請求項２５に記載の背もたれデバイス。
【請求項２７】
前記係合構造が、前記デバイスの長さ方向で異なる、請求項１乃至２６の何れかの項に記載の背もたれデバイス。
【請求項２８】
振動手段を含む、請求項１乃至２７の何れかの項に記載の背もたれデバイス。
【請求項２９】
前記振動手段のための制御手段を含み、所定の周期的振動パターンを実行することができるように配置される、請求項２８に記載の背もたれデバイス。
【発明の詳細な説明】
【技術分野】
【０００１】
本発明は、背もたれデバイスに関し、特に、その上に横になった場合に、ユーザの背骨を伸ばすことができるデバイスに関する。
【背景技術】
【０００２】
人間の背中、特に背骨および関連する筋肉を操作およびマッサージし、および種々の姿勢で人間の背中に関連して使用することができる種々様々なデバイスは周知のものである。
【０００３】
欧州特許出願公開第ＥＰ−Ａ−０７４１５３３号に、その上に横になっているユーザが使用するためのある周知の形状の背もたれデバイスが開示されている。
【０００４】
欧州特許出願公開第ＥＰ−Ａ−０７４１５３３号の主題は、背骨を伸ばすための凸状の湾曲を有する背もたれデバイスに関するものであり、この背もたれデバイスは、さらに背骨の両側の筋肉に圧力を加えるように配置されている、いわゆる小さなコブ（ｋｎｏｂｂｌｅ）を備えている。
【先行技術文献】
【特許文献】
【０００５】
【特許文献１】欧州特許出願公開第ＥＰ−Ａ−０７４１５３３号
【発明の概要】
【発明が解決しようとする課題】
【０００６】
しかし、欧州特許出願公開第ＥＰ−Ａ−０７４１５３３号の主題は、ストレッチしたり／マッサージする力の触覚の機械的適用に非常に限定されている。本発明は、周知のこのようなデバイスをさらに改良し、それを超えるいくつかの利点を有する背もたれデバイスを提供するためのものである。
【課題を解決するための手段】
【０００７】
本発明は、その上に横になった場合にユーザの背中と係合するように配置され、上向きの凸状の形をしている背もたれデバイスを提供する。このデバイスは、さらに、ユーザの背中を暖めたりおよび／または冷やしたりするために、デバイスの少なくとも一部の温度を制御するための温度制御手段を含む。
【０００８】
本発明は、人間の背中のすべての重要なストレッチを行っている場合に有利なものであり、治療の範囲および背もたれデバイスの使用の可能な有利な効果を高めるために、必要に応じて、全体または一部を暖めたりおよび／または冷やしたりすることができる。
【０００９】
１つの特定の実施形態の場合には、背もたれデバイスを、その下面から延び、弾性により床面上にデバイスを支持する働きをする弾性支持部材と一緒に配置することができる。
【００１０】
代替的にまたは追加的に、背もたれデバイスは、その下面から延び、一方の端部に対してデバイスの他方の端部の高さを調整可能な支持部材を含むことができる。
【００１１】
もちろん、背もたれデバイスの一方の端部の高さを選択的に変えるための上記支持部材も、上記の弾性支持部材を備えることができる。
【００１２】
使用中、背もたれデバイスの少なくとも一方の端部は、弾性によりおよび我々が運動ルーチンの一部として行うことができるユーザの動きに応じて往復運動をすることもできる。
【００１３】
温度制御素子について説明すると、これらの素子は、背もたれデバイスと一体に形成することもできるし、またはそこから取り外したり、置換したりできるように形成することもできる。
【００１４】
特に、冷却手段は、必要に応じて所望の冷却効果を得るために取り外したり、交換したりすることができる任意の適当な形の冷却パック／マットを備えることができる。
【００１５】
任意のこのようなパック／マットは、冷却パック／マットがそれに隣接して延びることができるように、任意の加熱および／または振動手段のスペースおよび構成により決まる構成を有することができる。
【００１６】
吸熱性の化学的アイス・パック／マットまたは他のものであれ、任意の適当な形の冷却パック／マットを使用することができることを理解することができるだろう。
【００１７】
ある装置の場合には、背もたれデバイスは、少なくとも１つの電気的に駆動される加熱素子を含む。
【００１８】
代替的にまたは追加的に、背もたれデバイスは、少なくとも１つの電気的に駆動される冷却素子を含むことができる。
【００１９】
この場合、制御手段は、加熱および／または冷却パターンの所定の制御を行うために有利に使用することができる。この場合、少なくとも適用時間または最高温度のうちの１つを、必要に応じて、所定の方法で容易に制御することができる。
【００２０】
より詳細には、制御手段は、背もたれデバイスにより周期的な加熱／冷却パターンを行うように配置することができる。
【００２１】
さらに、背もたれデバイスは、その全長に沿って直立係合構造を備えることができ、背骨の両側でユーザの背中と係合するように配置することができる。
【００２２】
好ましくは、直立係合構造の２つの実質的に平行な列が、背骨の両側で筋肉と係合するように配置される。
【００２３】
好ましくは、直立係合構造の少なくとも一方が、その温度を上記制御手段により制御できるように配置されている加熱素子を備える。
【００２４】
代替的にまたは追加的に、直立係合構造の少なくとも一方が、その温度が上記制御手段により制御されるように配置されている冷却素子を含む。
【００２５】
さらに、この係合構造の少なくとも一方は、上記の温度変更パターンを周期的に繰り返すために制御手段が配置されている場合には、特に効果的である加熱／冷却素子の組合せを備えることができる。
【００２６】
好ましくは、各直立係合構造は、ドーム状をしていて、より好ましくは、実質的に円形をしている。
【００２７】
このようにして、円形係合構造は、加熱または冷却の一方を行うための中央の円形素子、および加熱または冷却の他方を行うための外側の環状部分を備えることができる。
【００２８】
好ましくは、係合構造の表面は、複数の二次係合構造を備える。それ故、各係合構造は、ディンプル面を有することができる。
【００２９】
好ましくは、複数の列の形に配置された場合、係合構造の寸法は、デバイスの長手方向において異なっている。
【００３０】
好ましくは、係合構造は、横方向に膨らみ、特に、直径が、デバイスの長手方向において大きくなっている。
【００３１】
さらに、背もたれデバイスは、デバイスに振動を与える、それ故その上に横になっているユーザに振動を与えるように配置されている振動ユニットを含む。
【００３２】
さらに、振動を周期的なパターンで行うことができるように、振動ユニット用の制御手段を設置することができる。
【００３３】
１つの特定の実施形態の場合には、上記凸状の形の凸状の湾曲は、一方の端部の方向に増大している。
【００３４】
それ故、本発明は、ユーザの背中の治療のためのものであれ、または他の目的のためのものであれ、治療を有利に行うことができるばかりでなく、ユーザの体特にその腹部の筋肉の運動のためにも使用することができることを理解されたい。
【００３５】
実際、本発明は、その上に横になった場合に、ユーザの背中と係合するように配置され、上向きの凸状の形を有し、一方の端部が他方の端部より凸状の湾曲が大きく、さらに床面上にデバイスを支持するための弾性支持手段を含む背もたれデバイスを提供することができる。
【００３６】
追加的にまたは代替的に、背もたれデバイスは、その下面から延びるように配置され、デバイスの一方の端部に対して他方の端部の高さが変化するように配置されている支持手段を備えることができる。
【００３７】
このようなデバイスは、ユーザに提供することができる運動ルーチンに特に重点を置くことができる。
【００３８】
添付の図面を参照しながら以下に本発明についてさらに詳細に説明するが、これは単に例示としてのものに過ぎない。
【図面の簡単な説明】
【００３９】
【図１】本発明のある実施形態による背もたれデバイスの斜視図である。
【図２】図１のデバイスの斜視端面図である。
【図３】図１のデバイスの上記一方の端部の図面である。
【図４】本発明の他の実施形態による背もたれデバイスの斜視図である。
【図５】図４の実施形態の側部立面図である。
【発明を実施するための形態】
【００４０】
最初に図１を参照すると、この図は、その上に横になった場合にユーザの背中と係合するように配置され、以下にさらに説明するように、容易に制御することができ、さらに強化された方法で人間の背中を効果的にマッサージ／ストレッチするように配置されている背もたれデバイスの斜視図である。
【００４１】
背もたれデバイス１０は、特に上面１２により形成されているほぼ上向きの凸状をしていて、この上面に対向して、使用中、デバイスをしっかりと固定し、安定状態で位置させるように配置されている両方の端部の各脚部１４、１６のところに形成されている下面が位置する。
【００４２】
デバイス１０の上面１２から、特に図２を参照しながら以下に説明するように、各列に位置する一連の直立ドーム状の係合構造１８、２０が延びている。
【００４３】
同様に、以下にさらに説明するように、ドーム状構造１８、２０は、デバイス上でユーザが横になった場合、人間の背骨の両面の筋肉と係合するように配置される。
【００４４】
本発明の図の実施形態の特別な機能は、ユーザを暖めたり／加熱したり、および／または冷やしたりするために、各構造１８、２０の温度を容易に制御することができることである。同様に、電気的に駆動される振動ユニットが、デバイス１０内に装着されているので、作動した場合、直立ドーム状構造１８、２０によりユーザに伝えられるこのような振動により、振動を与えることができるように配置することができる。
【００４５】
制御パネル２２が、デバイス１０の側面のところに設置され、そこから容易に制御することができる所定のおよび／またはプログラムすることができる方法で、加熱／冷却および／または振動運動およびこれらの任意の組合せを提供することができる一連の加圧ボタン２４〜２８を含む。
【００４６】
ここで図２を参照すると、この図は、その内部のドーム状の係合構造１８、２０の２つの列１８ａ〜１８ｊ；２０ａ〜２０ｊをはっきり見ることができるデバイス１０の上面１２の詳細図である。
【００４７】
これら２つの列は実質的に平行していて、その間を長手方向に延びる細長い溝部３０により分離している。
【００４８】
溝部３０は、ユーザの背中がより容易に、より快適にその上に収容され、デバイスを使用することができるようにするためのものである。
【００４９】
また、図２に示すように、ドーム状の係合構造の寸法は、デバイスの長手方向、すなわち、係合構造１８ａから係合構造１８ｇの方向において変えることができる。係合構造はそのサイズ特に直径において増大している。
【００５０】
特にドーム状の係合構造１８ｇについて説明すると、この図は、その加熱素子３２および冷却素子３４の同心構成をはっきりと示している。
【００５１】
すなわち、中央の円形部分は、加熱素子３２を備え、外側の環状領域３４は冷却素子を備える。
【００５２】
上記説明から、図の実施形態の場合には、各ドーム状の係合構造１８、２０は、加熱／冷却素子の組合せを備えることを理解されたい。もちろん、他の任意の１つまたは複数のドーム状の係合構造１８、２０は、加熱素子だけを備えることもできるし、または冷却素子だけを備えることもできる。
【００５３】
図３を見れば、本発明の背もたれデバイスの形状、特にユーザの背骨を収容するための溝部３０の深さをさらによく理解することができるだろう。それ故、デバイスが提供する操作／管理を容易にするように適切な手ざわりを提供するために、各係合構造１８、２０の表面にディンプルを形成することもできるし、または他の方法で変化をつけることもできる。
【００５４】
また、図３は、同様に、係合構造１８、２０の直径の増大もはっきり示している。
【００５５】
それ故、使用中、図１を見れば分かるように、ユーザは、デバイス１０の上向きの凸状形状部分上に背中を伸ばして、また頭部および肩部を、より大きく湾曲しているデバイス１０の端部の方向に向けた状態で、快適な姿勢をとることができる。
【００５６】
このようにして、ユーザの背中は効果的なストレッチ力を受けるばかりでなく、各直立係合構造１８、２０は、背骨に関連する筋肉と係合し、その中に押し込む働きをする。
【００５７】
このように、背骨を伸ばし、筋肉が係合している状態で、制御パネル２２のボタン２４〜２８を適切に操作することにより、デバイス１０の温度制御手段を容易に作動することができ、従って温度制御係合構造１８、２０により局所的加熱および／または冷却を行うことができる。
【００５８】
行う加熱／冷却の程度および／またはこのような加熱／冷却を行う時間の長さは手動で容易に行うことができるし、または必要に応じて、制御手段が有利にこのようなことを行うことができる限りは、任意の所定の／プログラムしたおよび適切な方法で行うことができる。
【００５９】
より詳細には、制御手段は、周期的な加熱／冷却パターンを提供するように配置することができ、それにより各直立係合構造１８、２０は、繰り返し加熱および冷却段階を通して、最初に加熱を行い、次に冷却を行うというプロセスを繰り返す。
【００６０】
同様に、その背中がストレッチを受けている、本発明の図の実施形態により人間の背中にこのような局所的加熱／冷却を行うことにより、本発明の機能を特に有利に行うことができる。
【００６１】
本発明の図の実施形態によるマッサージ／操作をさらに強化するために、ユーザの背中に係合させながら、デバイス、特に直立係合構造１８、２０を振動させるために、振動ユニットを使用し、作動することができる。
【００６２】
図４を参照すると、この図は、本発明による背もたれデバイスの他の実施形態の斜視図である。
【００６３】
図４の背もたれデバイス３６は、その全体の構成が、上記実施形態のそれに類似していて、この場合も、上向きの凸面３８を提供し、その上で治療および／または運動中にユーザの背中がストレッチを受ける。
【００６４】
この場合も、一連の円形構造４０が実質的に平行な列の形で設けられているが、この構造は、必要に応じて、ユーザの背中に対して振動および／または加熱または治療、マッサージまたは他の作用を行うように配置することができる。
【００６５】
しかし、本発明のこのもう１つの実施形態の場合には、背もたれデバイス３６の上側凹面３８のほぼ半分上を延び、冷却マット４２の領域内に設けられている構造４０を露出することができるように、その内部に設けられている円形開口部４４の２つの平行な列を有する冷却マット４２により潜在的な冷却が行われる。
【００６６】
また、本発明のこのもう１つの実施形態の場合には、その上に背もたれデバイス３６が位置し、同様に以下にさらに説明するように、背もたれデバイス３６を弾性により支持するように配置されている、床面と係合するように配置されている選択的に調整可能な支持部材４６が設けられている。
【００６７】
冷却マット４２について説明すると、このマットは、所望の冷却を行うために、背もたれデバイスの一体部材として有利に設置することができ、電気的に駆動される冷却マット、または、実際にはアイス・パック・マットのような簡単な吸熱冷却マットを備えることができる。代替的に、冷却マット４２を、背もたれデバイス３６の上側凸面３８上に位置する個別の取り外し可能な交換可能な部材として設置することができ、必要な場合には、このような装置で、標準イソパック（ｉｓｏｐａｃｋ）／マットのような吸熱パック／マットを有利に備えることもできる。この場合、電気入力を行わなくても必要な冷却を行うことができる。
【００６８】
ここで図５を参照すると、この図は、図４を参照しながら説明した本発明の他の実施形態の側部立面図である。
【００６９】
同じ機能には類似の参照番号がつけてあり、一連の実質的に円形の振動／加熱構造４０のいくつかの上に位置する冷却マット４２も図示してある。
【００７０】
しかし、図５は、フット・プレート５０内に下方に延びる筒状脚部４８を備える支持部材４６の詳細図でもある。
【００７１】
矢印Ａで示すように、脚部４８とフット・プレート５０との間を弾性により移動することができるように、ばね要素（図示せず）が、脚部４８の下面とフット・プレート５０の内面に協働して係合している。
【００７２】
それ故、脚部４８を背もたれデバイス３６の下面にしっかりと接続することができる限りは、脚部は、背もたれデバイス３６の一方の端部に向かって弾性により容易に移動することができる。
【００７３】
他の機能により、背もたれデバイス３６の下面から脚部４８が下方に延びる長さは、他方に対して背もたれデバイスの上記一方の端部の高さを効果的に変えるために、選択的に制御し、調整することができる。特に有利なのは、背もたれデバイス３６の端部のところで高さを調整することができるので、凸状の湾曲をより大きくすることができることである。
【００７４】
デバイスの２つの端部の相対的な高さをこのように選択的に調整することができ、脚部４８とフット・プレート５０との間のばね結合により弾性が得られるので、背もたれデバイスを運動ルーチンの一部として使用することができる方法を強化することができる。より詳細には、支持部材４６の脚部４８とフット・プレート５０との間の弾性的結合により弾性が得られるので、運動ルーチンを行いながら、特に腹筋を鍛える運動ルーチンを行いながら、背もたれデバイス上に仰向けに寝ているユーザが行いたい運動を強化することができる。
【００７５】
さらに、選択的に調整できる支持部材４６によるデバイス３６の各端部間の相対的な高さを変えることができるので、同様に、運動ルーチン中にユーザが行う運動の性質を変えることができる。
【００７６】
それ故、理解していただけると思うが、本発明の図の実施形態は、特に適応性が高く容易に使用することができる、単独でまたは組み合わせることにより、必要に応じて人間をマッサージ／操作するための種々の治療シナリオを提供する。
【００７７】
また、上記説明を読めば、この背もたれデバイスが、治療またはその他の治癒および操作の他に、有利に筋肉を強化／調整するために、運動デバイスの必要不可欠な部分を形成することができることを理解することができるだろう。
【００７８】
もちろん、本発明は、上記実施形態の詳細に限定されないことも理解されたい。
【００７９】
図の実施形態は、成型プラスチックの形をしているが、このデバイスは任意の適切な材料から作ることができ、任意の適切な上部および／または下部構成を有することもできることを理解されたい。
【００８０】
例えば、電熱線および少なくとも１つのサイクリック冷凍ユニットにより、任意の適切な装置による加熱および冷却を行うことができるが、本発明はこれに限定されない。
【００８１】
また、加熱／冷却は、必ずしも図に示すような上向きの直立係合構造により行う必要はなく、例えば、必要に応じて、直立係合構造から完全に独立している加熱素子により行うこともできる。
【図１】
2010057915.tif 000003
【図２】
2010057915.tif 000004
【図３】
2010057915.tif 000005
【図４】
2010057915.tif 000006
【図５】
2010057915.tif 000007
【外国語明細書】
2010057915000001.pdf
2010057915000002.pdf
2010057915000003.pdf
2010057915000004.pdf